(57)【特許請求の範囲】
【請求項１】
口腔の上顎内壁にフィットする上顎磁気シート（１）及び上顎磁気シート（１）の固定に用いる上顎合金固定ラック（２）を備える上顎部材と、
口腔の下顎内壁にフィットする下顎磁気シート（３）及び下顎磁気シート（３）の固定に用いる下顎合金固定ラック（４）を備える下顎部材とを含み、
前記上顎合金固定ラック（２）は、金属リボン構造であり、上顎歯の外壁に固定され、その両端がそれぞれ上顎歯ぐきの左側末端と右側末端とをラウンドして、口腔の上顎内壁にぴったり合った上顎磁気シート（１）に固定され、
前記下顎合金固定ラック（４）は、金属リボン構造であり、下顎歯の外壁に固定され、その両端がそれぞれ下顎歯ぐきの左側末端と右側末端とをラウンドして、口腔の下顎内壁にぴったり合った下顎磁気シート（３）に固定され、
その中、上顎磁気シート（１）と下顎磁気シート（３）とは上下に対向して設置され、それらの対向面は互いに反発し合う性質である、ことを特徴とする言語リズム制御器。
【発明の詳細な説明】
【技術分野】
【０００１】
本発明は、医療装置に関し、特に言語リズム制御器に関する。
【背景技術】
【０００２】
吃音は人の言語リズムの失調に起因する。言語リズム失調病症（即ち、吃音障害）の治療方法のうち、言語矯正は最も効果がある方法である。矯正方法として一般的に電子メトロノームにより所定のリズムを与えて吃音障害者の言語リズムを訓練するのと、聴覚遅延フィードバックデバイスを利用して吃音障害者の発話速度を緩めさせて、正常な人の発話リズムに合わせるのとがある。これらの２種の矯正方法は治療周期が非常に長く、その主な原因は、吃音障害者が矯正機構内で発話する時にメトロノームが補助となり、メトロノームから離れたとしても、メトロノームが依然として所定の頻度で発話している環境にいるため、吃音がない状態を保持しやすい。しかし、一般的には、患者がずっと矯正機構にいることが不可能であり、普通はこのような矯正治療が毎日一定の時間行われた後、患者は正常な生活を継続することになるが、このように機構内の環境から離れた場合に吃音が回復されるため、治療が遅くなってしまう。
【０００３】
現在、吃音障害者の日常生活に影響を与えない上で、吃音障害者の発話リズムを制御する効果を有する製品はまだない。
【発明の概要】
【発明が解決しようとする課題】
【０００４】
本発明は上記の技術的問題を解決するためになされたものであり、吃音障害者の日常生活に影響を与えない上で、吃音障害者の発話リズムを制御する効果を有する言語リズム制御器を提供する。
【課題を解決するための手段】
【０００５】
以上の目的は、以下の技術手段により実現する。
【０００６】
本発明の言語リズム制御器は、口腔の上顎内壁にフィットする上顎磁気シート及び上顎磁気シートの固定に用いる上顎合金固定ラックを備える上顎部材と、口腔の下顎内壁にフィットする下顎磁気シート及び下顎磁気シートの固定に用いる下顎合金固定ラックを備える下顎部材とを含み、上記上顎合金固定ラックは、金属リボン構造であり、上顎歯の外壁に固定され、その両端がそれぞれ上顎歯ぐきの左側末端と右側末端とをラウンドして、口腔の上顎内壁にぴったり合った上顎磁気シートに固定され、上記下顎合金固定ラックは、金属リボン構造であり、下顎歯の外壁に固定され、その両端がそれぞれ下顎歯ぐきの左側末端と右側末端とをラウンドして、口腔の下顎内壁にぴったり合った下顎磁気シートに固定され、その中、上顎磁気シートと下顎磁気シートとは上下に対向して設置され、それらの対向面は互いに反発し合う性質である。
【０００７】
上記言語リズム制御器において、上顎合金固定ラックと上顎磁気シートとは取り外し可能に連結され、下顎合金固定ラックと下顎磁気シートとは同様に取り外し可能に連結されるのが好ましい。
【０００８】
上記技術手段の本発明を利用すれば、上顎磁気シートが上顎合金固定ラックを介して上顎歯の外壁に固定されることで、上顎磁気シートが口腔の上顎にフィットした状態を保持することが保証でき、また、下顎磁気シートが下顎合金固定ラックを介して下顎歯の外壁に固定されることで、下顎磁気シートが口腔の下顎にフィットした状態を保持することが保証できる。また、上顎磁気シートと下顎磁気シートとは互いに反発し合うため、口腔を閉める時に所定の抵抗力を克服する必要があり、これにより発話速度を直接遅延させることができ、一回の口腔閉動作が一つの音節となることを保証でき、安定的な言語リズムが形成される。時間が長くなるにつれて、神経条件反射と筋肉記憶とが生じ、正常な言語リズムに合った慣れが形成されるようになり、吃音障害者は吃音を克服することができる。
【０００９】
上記言語リズム制御器において、上顎合金固定ラックと下顎合金固定ラックとは医療用合金から製造されるのが好ましく、また、上顎合金固定ラック及び下顎合金固定ラックが歯の外壁にフィットした部位に、歯列矯正用ブリッジによく使用されるビームを設置して更に固定してもよく、直接に歯列矯正用ブリッジの形に設計してもよい。
【発明の効果】
【００１０】
本発明の長所は以下のとおりである。
１、直接に口腔の内部に取り付けることができ、フィットした状態がよく、異物感がない。
２、所定の変わらない抵抗力を提供することで、安定的な言語リズム習慣の形成を保証することができる。
３、吃音障害者の異なる吃音程度に応じて、上顎磁気シートと下顎磁気シートとの大きさを調整して斥力の大きさを調整することで、吃音を調整する。
４、合金固定ラックと磁気シートとは取り外し可能であって調整が便利である。
【００１１】
上記説明は本発明の技術形態を概述するものに過ぎず、本発明の技術手段をより明らかに理解するために、明細書の内容に基づいて実施可能であり、また、本発明の上記目的とその他の目的、特徴及び長所をより明らかで分かりやすくするために、好ましい実施例を挙げて、図面を参照しながら以下のように詳細に説明する。
【００１２】
本発明は共に５枚の図面を有する。
【図面の簡単な説明】
【００１３】
【図１】本発明の上顎部材の側面立体構造を示す模式図である。
【図２】本発明の上顎部材の背面立体構造を示す模式図である。
【図３】本発明の上顎部材の上面構造を示す模式図である。
【図４】本発明の下顎部材の側面立体構造を示す模式図である。
【図５】本発明の口腔内固定を採用した時の立体構造を示す模式図である。
【発明を実施するための形態】
【００１４】
図１、図２、図３及び図４に示す言語リズム制御器は、口腔の上顎内壁にフィットする上顎磁気シート１及び上顎磁気シート１の固定に用いる上顎合金固定ラック２を備える上顎部材と、口腔の下顎内壁にフィットする下顎磁気シート３及び下顎磁気シート３の固定に用いる下顎合金固定ラック４を備える下顎部材とを含む。
【００１５】
上顎合金固定ラック２は、金属リボン構造であり、上顎歯の外壁に固定され、その両端がそれぞれ上顎歯ぐきの左側末端と右側末端とをラウンドして、口腔の上顎内壁にぴったり合った上顎磁気シート１に固定される。
【００１６】
下顎合金固定ラック４は、金属リボン構造であり、下顎歯の外壁に固定され、その両端がそれぞれ下顎歯ぐきの左側末端と右側末端とをラウンドして、口腔の下顎内壁にぴったり合った下顎磁気シート３に固定される。
【００１７】
また、上顎磁気シート１と下顎磁気シート３とは上下に対向して設置され、それらの対向面が互いに反発し合う性質である。
【００１８】
また、上顎合金固定ラック２と上顎磁気シート１とは取り外し可能に連結され、下顎合金固定ラック４と下顎磁気シート３とは同様に取り外し可能に連結される。
【００１９】
本発明により、上顎磁気シート１が上顎合金固定ラック２を介して上顎歯の外壁に固定されることで、上顎磁気シート１が口腔の上顎にフィットした状態を保持することが保証でき、下顎磁気シート３が下顎合金固定ラック４を介して下顎歯の外壁に固定されることで、下顎磁気シート３が口腔の下顎にフィットした状態を保持することが保証できる。また、上顎磁気シート１と下顎磁気シート３とが互いに反発し合うため、口腔を閉める時に所定の抵抗力を克服する必要があり、これにより発話速度を直接に遅延させることができて、一回の口腔閉動作が一つの音節となることを保証し、安定的な言語リズムが形成される。時間が長くなるにつれて、神経条件反射と筋肉記憶が生じ、正常な言語リズムに合った慣れが形成されるようになり、吃音障害者は吃音を克服することができる。
【００２０】
ここで、上顎合金固定ラック２と下顎合金固定ラック４とは医療用合金から製造され、また、上顎合金固定ラック２及び下顎合金固定ラック４が歯の外壁にフィットした部位に歯列矯正用ブリッジによく使用されるビームを設置して更に固定してもよく、直接歯列矯正用ブリッジの形に設計してもよい。
【００２１】
ここで、上顎部材と下顎部材とは図５に示すように一体に設計してもよく、この時に上顎部材と下顎部材とはいずれも口腔の内部に位置し、２つの磁気シートの２つの側縁が合金ラックにより支持されて固定され、両側の合金ラックがそれぞれ左右両側の歯ぐきの内側に近づいて設置される。これにより、２つの磁気シートは依然としてそれぞれ上顎内壁及び下顎内壁にぴったり当てはまる。
【００２２】
以上は本発明の好ましい実施例に過ぎず、本発明にいかなる形式で制限を加えることもなく、本発明は好ましい実施例により以上のように開示したが、本発明を限定するためのものではなく、当業者であれば、本発明の技術形態から逸脱しない範囲内に、上記の開示した技術内容を利用して若干の変更を行い又は同等に変化した等効果実施例に修飾することも可能であり、本発明の技術形態の内容から逸脱しない限り、本発明の技術実質に基づいて以上の実施例に施したいかなる簡単な修正、同等な変化及び修飾は、本発明の技術形態の範囲内に含まれる。
【００２３】
（付記）
（付記１）
口腔の上顎内壁にフィットする上顎磁気シート（１）及び上顎磁気シート（１）の固定に用いる上顎合金固定ラック（２）を備える上顎部材と、
口腔の下顎内壁にフィットする下顎磁気シート（３）及び下顎磁気シート（３）の固定に用いる下顎合金固定ラック（４）を備える下顎部材とを含み、
前記上顎合金固定ラック（２）は、金属リボン構造であり、上顎歯の外壁に固定され、その両端がそれぞれ上顎歯ぐきの左側末端と右側末端とをラウンドして、口腔の上顎内壁にぴったり合った上顎磁気シート（１）に固定され、
前記下顎合金固定ラック（４）は、金属リボン構造であり、下顎歯の外壁に固定され、その両端がそれぞれ下顎歯ぐきの左側末端と右側末端とをラウンドして、口腔の下顎内壁にぴったり合った下顎磁気シート（３）に固定され、
その中、上顎磁気シート（１）と下顎磁気シート（３）とは上下に対向して設置され、それらの対向面は互いに反発し合う性質である、ことを特徴とする言語リズム制御器。
【図１】
0006453518.tif 000002
【図２】
0006453518.tif 000003
【図３】
0006453518.tif 000004
【図４】
0006453518.tif 000005
【図５】
0006453518.tif 000006